(57)【要約】【課題】接続機器を多く配下に接続してもＰｏＥ給電装置を安定して運用可能な電源制御装置、電源制御方法、電源制御システム、および電源制御プログラム提供することを目的とする。【解決手段】第一電源出力部１６０が、ＰｏＥ給電装置２００に入力するための電力を出力し、通信部１３０が、ＰｏＥ給電装置２００と通信を行ない、監視部１１１が、通信部１３０を介してＰｏＥ給電装置２００およびＰｏＥ接続機器３００の正常稼働を監視し、電源制御部１１２が、監視部１１１によってＰｏＥ給電装置２００が正常ではないと判断された場合に、ＰｏＥ給電装置２００を再起動させ、ＰｏＥ電源制御部２１０が、監視部１１１によってＰｏＥ接続機器３００が正常ではないと判断された場合に、ＰｏＥ接続機器３００を再起動させる。【選択図】図１
2019075768.tif 000002
【特許請求の範囲】
【請求項１】
配下に接続された接続機器へのＰｏＥ電源を制御するＰｏＥ電源制御手段と、接続された前記接続機器との通信を中継する通信中継手段とを備えたＰｏＥ給電装置への電源を制御する電源制御装置において、
前記ＰｏＥ給電装置に入力するための電力を出力する第一電源出力手段と、
前記ＰｏＥ給電装置と通信を行なう通信手段と、
前記通信手段を介して前記ＰｏＥ給電装置および前記接続機器の正常稼働を監視する監視手段と、
前記監視手段によって前記ＰｏＥ給電装置が正常ではないと判断された場合に、前記ＰｏＥ給電装置を復旧させるＰｏＥ給電装置復旧手段と、
前記監視手段によって前記接続機器が正常ではないと判断された場合に、前記接続機器を復旧させる接続機器復旧手段と、
を備えることを特徴とする電源制御装置。
【請求項２】
前記ＰｏＥ給電装置復旧手段は、
前記第一電源出力手段への電源を一時的に遮断し、再接続することで前記ＰｏＥ給電装置を再起動させることを特徴とする請求項１記載の電源制御装置。
【請求項３】
前記接続機器復旧手段は、
前記通信手段を介して前記ＰｏＥ電源制御手段に対し、復旧すべき接続機器へのＰｏＥ電源を一時的に遮断し、再接続する指示信号を出力することを特徴とする請求項１記載の電源制御装置。
【請求項４】
前記接続機器復旧手段は、
前記通信手段を介して前記ＰｏＥ電源制御手段に対し、復旧すべき接続機器へのＰｏＥ電源を一時的に遮断し、前記復旧すべき接続機器にマジックパケットを送信することで再起動させることを特徴とする請求項１記載の電源制御装置。
【請求項５】
前記監視手段は、
前記ＰｏＥ給電装置および前記接続機器に対して定期的にＰｉｎｇコマンドを実行するＰｉｎｇコマンド実行部と、
前記Ｐｉｎｇコマンドを実行したＰｏＥ給電装置および接続機器から既定回数応答がない場合に、応答がないＰｏＥ給電装置または接続機器を正常ではないと判断するＰｉｎｇコマンド判断部と、
を備えることを特徴とする請求項１記載の電源制御装置。
【請求項６】
前記監視手段は、
前記ＰｏＥ給電装置および前記接続機器が定期的に送信するハートビート信号を受信するハートビート信号受信手段と、
前記ハートビート信号が途絶えたときに、前記ハートビート信号が途絶えたＰｏＥ給電装置または接続機器を正常ではないと判断するハートビート判断部と、
を備えることを特徴とする請求項１記載の電源制御装置。
【請求項７】
前記監視手段によって前記ＰｏＥ給電装置または前記接続機器が正常ではないと判断された場合に、前記ＰｏＥ給電装置または前記接続機器の管理者へ警告を通知する通知手段、
を備えることを特徴とする請求項１記載の電源制御装置。
【請求項８】
前記ＰｏＥ給電装置に上位層から接続されるゲートウェイ機器に入力するための電力を出力する第二電源出力手段、
を備えることを特徴とする請求項１記載の電源制御装置。
【請求項９】
配下に接続された接続機器へのＰｏＥ電源を制御するＰｏＥ電源制御手段と、接続された前記接続機器との通信を中継する通信中継手段とを備えたＰｏＥ給電装置への電源を制御する電源制御方法において、
第一電源出力手段が、前記ＰｏＥ給電装置に入力するための電力を出力ステップと、
通信手段が、前記ＰｏＥ給電装置と通信を行なうステップと、
監視手段が、前記通信手段を介して前記ＰｏＥ給電装置および前記接続機器の正常稼働を監視するステップと、
ＰｏＥ給電装置復旧手段が、前記監視手段によって前記ＰｏＥ給電装置が正常ではないと判断された場合に、前記ＰｏＥ給電装置を復旧させるステップと、
接続機器復旧手段が、前記監視手段によって前記接続機器が正常ではないと判断された場合に、前記接続機器を復旧させるステップと、
を備えることを特徴とする電源制御方法。
【請求項１０】
配下に接続された接続機器へのＰｏＥ電源を制御するＰｏＥ電源制御手段と、接続された前記接続機器との通信を中継する通信中継手段とを備えたＰｏＥ給電装置への電源を制御する電源制御プログラムにおいて、
コンピュータを、
前記ＰｏＥ給電装置に入力するための電力を出力する第一電源出力手段、
前記ＰｏＥ給電装置と通信を行なう通信手段、
前記通信手段を介して前記ＰｏＥ給電装置および前記接続機器の正常稼働を監視する監視手段、
前記監視手段によって前記ＰｏＥ給電装置が正常ではないと判断された場合に、前記ＰｏＥ給電装置を復旧させるＰｏＥ給電装置復旧手段、
前記監視手段によって前記接続機器が正常ではないと判断された場合に、前記接続機器を復旧させる接続機器復旧手段、
として機能させることを特徴とする電源制御プログラム。
【請求項１１】
配下に接続された接続機器へのＰｏＥ電源を制御するＰｏＥ電源制御手段と、
接続された前記接続機器との通信を中継する通信中継手段と、
を備えるＰｏＥ給電装置と、
前記ＰｏＥ給電装置に入力するための電力を出力する第一電源出力手段と、
前記ＰｏＥ給電装置と通信を行なう通信手段と、
前記通信手段を介して前記ＰｏＥ給電装置および前記接続機器の正常稼働を監視する監視手段と、
前記監視手段によって前記ＰｏＥ給電装置が正常ではないと判断された場合に、前記ＰｏＥ給電装置を復旧させるＰｏＥ給電装置復旧手段と、
前記監視手段によって前記接続機器が正常ではないと判断された場合に、前記接続機器を復旧させる接続機器復旧手段と、
を備える電源制御装置と、
を備えることを特徴とする電源制御システム。
【発明の詳細な説明】
【技術分野】
【０００１】
本発明は、電源制御装置、電源制御方法、電源制御プログラム、および電源制御システムに関し、特に配下に接続された接続機器へのＰｏＥ電源を制御するＰｏＥ電源制御手段と、接続された前記接続機器との通信を中継する通信中継手段とを備えたＰｏＥ給電装置への電源を制御するに関する。
【背景技術】
【０００２】
従来から、コンピュータネットワークで利用されるツイストペアケーブルを使用することで、接続されたアクセスポイント、ネットワークカメラなどのＰｏＥ（Power over Ethernet）対応機器にネットワーク接続しながら電力を供給するＰｏＥ給電装置が知られている。
【０００３】
このＰｏＥ給電装置にツイストペアケーブルを介してＰｏＥ対応機器を接続するだけで、電源供給とネットワーク接続とを同時に行えるので、ＰｏＥ対応機器への電源工事が不要とすることができる。
【０００４】
また近年では電力を供給するだけでなく、ＰｏＥ給電装置に接続されたＰｏＥ対応のＩＰ（Internet Protocol）機器の正常性を診断する機能を有した診断機能付きＰｏＥ給電装置も開発されている（たとえば、特許文献１参照）。このような診断機能付きＰｏＥ給電装置をしようすることで、接続したＰｏＥ対応のＩＰ機器を監視し、障害時には復旧することができる。
【０００５】
図１２は、接続されたＩＰ機器の正常性を診断する機能を有するＰｏＥ給電装置である。
図１２に示すように、ＰｏＥ給電装置１は、ＩＰ網２０と、配下に接続されたＩＰ機器３０との間でＩＰパケットを中継するＰｏＥハブであって、ＩＰ機器診断部１０、アップリンク側ポート１１、ＩＰパケット中継制御部１２、ダウンリンク側ＰｏＥポート１３、給電制御部１４、ＰｏＥ給電部１５、参照データ記憶部１６を備えている。
【０００６】
アップリンク側ポート１１は、ルータ、ゲートウェイ、ＯＮＵ（Optical Network Unit）などの上位のＩＰ網２０側の機器と接続するためのものである。
ＩＰパケット中継制御部１２は、アップリンク側ポート１１と、複数設けられたダウンリンク側ＰｏＥポート１３−１〜１３−ｎとの間でＩＰパケットを中継し、中継したＩＰパケットのパケット数またはデータ量を計測し、計測した値をＩＰ機器診断部１０に出力するためのものである。
【０００７】
ダウンリンク側ＰｏＥポート１３−１〜１３−ｎには、ＩＰ機器３０−１〜３０−ｎが接続され、ＰｏＥ給電部１５から接続されたＩＰ機器３０へ電力を出力するためのものである。
【０００８】
給電制御部１４は、商用電源である交流１００Ｖのコンセントから受電した電力を、所定の動作電圧に変換してＰｏＥ給電装置１内の各部へ供給するためのものである。
ＰｏＥ給電部１５は、給電制御部１４から供給される電力をＰｏＥ電力に変換して、各ダウンリンク側ＰｏＥポート１３へ出力すると共に、給電量を測定し、測定した値をＩＰ機器診断部１０へ通知するためのものである。またＰｏＥ給電部１５は、ＩＰ機器診断部１０からの指示に応じて給電のＯＮ／ＯＦＦを制御することができる。
【０００９】
参照データ記憶部１６は、ＩＰ機器診断部１０から出力される診断に必要な参照データを記憶すると共に、ＩＰ機器診断部１０からの要求に応じて記憶している所定の参照データを出力するためのものである。
【００１０】
ＩＰ機器診断部１０は、診断すべきダウンリンク側ＰｏＥポート１３について、参照データ記憶部１６に記憶されたダウンリンク側ＰｏＥポート１３毎の測定タイミングで、ＩＰパケット中継制御部１２が測定したＩＰ機器３０から入力してくる単位時間当たりのデータ量、およびＰｏＥ給電部１５が測定したＰｏＥ給電量の値と、参照データ記憶部１６に記憶された参照データとを比較し、参照データに記憶されている正常値範囲を満足するか否かを判定する。
【００１１】
ＩＰ機器診断部１０が、参照データに記憶されている正常値範囲を満足しないと判定した場合は、ダウンリンク側ＰｏＥポート１３に接続されたＩＰ機器３０が異常の可能性があると判断し、参照データ記憶部１６に記憶された通報先へアラーム情報を通報する。
【００１２】
さらに、異常の可能性があると判定されたダウンリンク側ＰｏＥポート１３がある場合、異常の可能性があると判定されたダウンリンク側ＰｏＥポート１３へのＰｏＥ給電を一時的に遮断し、再度接続して電力を供給する指示を、ＩＰ機器診断部１０がＰｏＥ給電部１５に出力する。
【００１３】
これにより、異常の可能性があると判定されたダウンリンク側ＰｏＥポート１３に接続されたＩＰ機器３０に対して、ＰｏＥ給電を一時的に遮断し、その後ＰｏＥ給電を再度接続して電力を供給することで、ＩＰ機器３０を再起動し、正常復帰させることができる。
【先行技術文献】
【特許文献】
【００１４】
【特許文献１】特開２０１７−１７７５０号公報
【発明の概要】
【発明が解決しようとする課題】
【００１５】
しかし、ダウンリンク側ＰｏＥポートに接続される複数のＩＰ機器によりパケットの流れが集中するため、ＰｏＥ給電装置１はフリーズしてしまうことが考えられる。ＰｏＥ給電装置１がフリーズしてしまうと、接続されたＩＰ機器３０は、正常に通信や給電が行なわれなくなるので、ＰｏＥ給電装置を利用したネットワークの安定した運用ができない問題があった。
【００１６】
また、接続するＩＰ機器３０が多い場合は、ＰｏＥ給電装置１の配下にさらに複数のＰｏＥ給電装置ｎを接続することで、接続するＩＰ機器３０の端末数を増やすことができる。ところが配下に複数のＰｏＥ給電装置ｎおよび複数のＩＰ機器３０を接続した最上階層のＰｏＥ給電装置１では、ＰｏＥ給電装置ｎに接続される複数のＩＰ機器３０のパケットが一気に集中することになり、最上階層のＰｏＥ給電装置１がフリーズしてしまうと、多くのＩＰ機器３０に通信や給電の影響が出てしまう問題があった。
【００１７】
本発明はこのような点に鑑みてなされたものであり、接続機器を多く配下に接続してもＰｏＥ給電装置を安定して運用可能な電源制御装置、電源制御方法、電源制御システム、および電源制御プログラム提供することを目的とする。
【課題を解決するための手段】
【００１８】
本発明では上記問題を解決するために、配下に接続された接続機器へのＰｏＥ電源を制御するＰｏＥ電源制御手段と、接続された前記接続機器との通信を中継する通信中継手段とを備えたＰｏＥ給電装置への電源を制御する電源制御装置において、前記ＰｏＥ給電装置に入力するための電力を出力する第一電源出力手段と、前記ＰｏＥ給電装置と通信を行なう通信手段と、前記通信手段を介して前記ＰｏＥ給電装置および前記接続機器の正常稼働を監視する監視手段と、前記監視手段によって前記ＰｏＥ給電装置が正常ではないと判断された場合に、前記ＰｏＥ給電装置を復旧させるＰｏＥ給電装置復旧手段と、前記監視手段によって前記接続機器が正常ではないと判断された場合に、前記接続機器を復旧させる接続機器復旧手段とを備えることを特徴とする電源制御装置が提供される。
【００１９】
これにより、第一電源出力手段が、ＰｏＥ給電装置に入力するための電力を出力し、通信手段が、ＰｏＥ給電装置と通信を行ない、監視手段が、通信手段を介してＰｏＥ給電装置および接続機器の正常稼働を監視し、ＰｏＥ給電装置復旧手段が、監視手段によってＰｏＥ給電装置が正常ではないと判断された場合に、ＰｏＥ給電装置を復旧させ、接続機器復旧手段が、監視手段によって接続機器が正常ではないと判断された場合に、接続機器を復旧させる。
【００２０】
また、本発明では、配下に接続された接続機器へのＰｏＥ電源を制御するＰｏＥ電源制御手段と、接続された前記接続機器との通信を中継する通信中継手段とを備えたＰｏＥ給電装置への電源を制御する電源制御方法において、第一電源出力手段が、前記ＰｏＥ給電装置に入力するための電力を出力ステップと、通信手段が、前記ＰｏＥ給電装置と通信を行なうステップと、監視手段が、前記通信手段を介して前記ＰｏＥ給電装置および前記接続機器の正常稼働を監視するステップと、ＰｏＥ給電装置復旧手段が、前記監視手段によって前記ＰｏＥ給電装置が正常ではないと判断された場合に、前記ＰｏＥ給電装置を復旧させるステップと、接続機器復旧手段が、前記監視手段によって前記接続機器が正常ではないと判断された場合に、前記接続機器を復旧させるステップとを備えることを特徴とする電源制御方法が提供される。
【００２１】
これにより、第一電源出力手段が、ＰｏＥ給電装置に入力するための電力を出力し、通信手段が、ＰｏＥ給電装置と通信を行ない、監視手段が、通信手段を介してＰｏＥ給電装置および接続機器の正常稼働を監視し、ＰｏＥ給電装置復旧手段が、監視手段によってＰｏＥ給電装置が正常ではないと判断された場合に、ＰｏＥ給電装置を復旧させ、接続機器復旧手段が、監視手段によって接続機器が正常ではないと判断された場合に、接続機器を復旧させる。
【００２２】
また、本発明では、配下に接続された接続機器へのＰｏＥ電源を制御するＰｏＥ電源制御手段と、接続された前記接続機器との通信を中継する通信中継手段とを備えたＰｏＥ給電装置への電源を制御する電源制御プログラムにおいて、コンピュータを、前記ＰｏＥ給電装置に入力するための電力を出力する第一電源出力手段、前記ＰｏＥ給電装置と通信を行なう通信手段、前記通信手段を介して前記ＰｏＥ給電装置および前記接続機器の正常稼働を監視する監視手段、前記監視手段によって前記ＰｏＥ給電装置が正常ではないと判断された場合に、前記ＰｏＥ給電装置を復旧させるＰｏＥ給電装置復旧手段、前記監視手段によって前記接続機器が正常ではないと判断された場合に、前記接続機器を復旧させる接続機器復旧手段として機能させることを特徴とする電源制御プログラムが提供される。
【００２３】
これにより、第一電源出力手段が、ＰｏＥ給電装置に入力するための電力を出力し、通信手段が、ＰｏＥ給電装置と通信を行ない、監視手段が、通信手段を介してＰｏＥ給電装置および接続機器の正常稼働を監視し、ＰｏＥ給電装置復旧手段が、監視手段によってＰｏＥ給電装置が正常ではないと判断された場合に、ＰｏＥ給電装置を復旧させ、接続機器復旧手段が、監視手段によって接続機器が正常ではないと判断された場合に、接続機器を復旧させる。
【００２４】
また、本発明では、配下に接続された接続機器へのＰｏＥ電源を制御するＰｏＥ電源制御手段と、接続された前記接続機器との通信を中継する通信中継手段とを備えるＰｏＥ給電装置と、前記ＰｏＥ給電装置に入力するための電力を出力する第一電源出力手段と、
【００２５】
前記ＰｏＥ給電装置と通信を行なう通信手段と、前記通信手段を介して前記ＰｏＥ給電装置および前記接続機器の正常稼働を監視する監視手段と、前記監視手段によって前記ＰｏＥ給電装置が正常ではないと判断された場合に、前記ＰｏＥ給電装置を復旧させるＰｏＥ給電装置復旧手段と、前記監視手段によって前記接続機器が正常ではないと判断された場合に、前記接続機器を復旧させる接続機器復旧手段とを備える電源制御装置とを備えることを特徴とする電源制御システムが提供される。
【００２６】
これにより、ＰｏＥ給電装置は、配下に接続された接続機器へのＰｏＥ電源をＰｏＥ電源制御手段が制御し、接続された接続機器との通信を通信中継手段が中継し、電源制御装置は、ＰｏＥ給電装置に入力するための電力を第一電源出力手段が出力し、ＰｏＥ給電装置と通信を通信手段が行ない、通信手段を介してＰｏＥ給電装置および接続機器の正常稼働を監視手段が監視し、監視手段によってＰｏＥ給電装置が正常ではないと判断された場合に、ＰｏＥ給電装置をＰｏＥ給電装置復旧手段が復旧させ、監視手段によって接続機器が正常ではないと判断された場合に、接続機器を接続機器復旧手段が復旧させる。
【発明の効果】
【００２７】
本発明は、電源制御装置、電源制御方法、電源制御プログラム、および電源制御システムによれば、第一電源出力手段が、ＰｏＥ給電装置に入力するための電力を出力し、通信手段が、ＰｏＥ給電装置と通信を行ない、監視手段が、通信手段を介してＰｏＥ給電装置および接続機器の正常稼働を監視し、ＰｏＥ給電装置復旧手段が、監視手段によってＰｏＥ給電装置が正常ではないと判断された場合に、ＰｏＥ給電装置を復旧させ、接続機器復旧手段が、監視手段によって接続機器が正常ではないと判断された場合に、接続機器を復旧させるので、ＰｏＥ給電装置がフリーズしてもＰｏＥ給電装置および接続機器を安定して運用させることができる。
【図面の簡単な説明】
【００２８】
【図１】第１の実施の形態に係る電源制御装置の詳細を示すブロック図である。
【図２】電源制御装置が接続された電源制御システム全体の概念を示す図である。
【図３】制御部の詳細を示すブロック図である。
【図４】情報記憶部の詳細を示すブロック図である。
【図５】本体接続機器情報記憶部が記憶する本体接続機器情報のデータ構造例を示す図である。
【図６】ＰｏＥ接続機器情報記憶部が記憶するＰｏＥ接続機器情報のデータ構造例を示す図である。
【図７】電源制御装置が監視を開始してから、電源制御を行なうまでの処理を示すフローチャートである。
【図８】電源制御装置が正常稼働していないと判断してから、電源制御を行なうまでの処理を示すフローチャートである。
【図９】電源制御装置により管理者がネットワーク内のＰｏＥ接続機器を遠隔操作するための電源ＯＮ／ＯＦＦ制御信号を受信してから、電源ＯＮ／ＯＦＦ制御を行なうまでの処理を示すフローチャートである。
【図１０】第２の実施の形態に係る電源制御装置の詳細を示すブロック図である。
【図１１】電源制御装置が接続された電源制御システム全体の概念を示す図である。
【図１２】接続されたＩＰ機器の正常性を診断する機能を有するＰｏＥ給電装置である。
【発明を実施するための形態】
【００２９】
〔第１の実施の形態〕
以下、本発明の第１の実施の形態を、図面を参照して詳細に説明する。
図１は、第１の実施の形態に係る電源制御装置の詳細を示すブロック図である。
【００３０】
図１に示すように、電源制御装置１００は、制御部１１０、情報記憶部１２０、通信部１３０、給電部１４０、電源部１５０、第一電源出力部１６０、および第二電源出力部１７０を備えている。
【００３１】
電源制御装置１００は、商用電源などの外部電源から電源部１５０を介して入力された電力を制御し、第一電源出力部１６０、および第二電源出力部１７０に接続される図示しないＰｏＥ給電装置２００、およびルータ４００である本体接続機器と、ＰｏＥ給電装置２００の配下に接続された図示しないＰｏＥ接続機器３００とを安定して運用するための装置である。
【００３２】
制御部１１０は情報記憶部１２０、通信部１３０、および給電部１４０に接続されており、通信部１３０を介して接続されたネットワーク機器の稼働を監視し、接続されたネットワーク機器が正常稼働しているか否かを判断するためのものである。
【００３３】
また、通信部１３０を介して接続されたネットワーク機器が正常稼働していない場合に、正常稼働していないネットワーク機器を正常化させるための処理および指示を行なうためのものである。制御部１１０の詳細については後述する。
【００３４】
情報記憶部１２０は制御部１１０に接続されており、電源制御装置１００により電源供給されるＰｏＥ給電装置２００、およびルータ４００である本体接続機器の各情報、およびＰｏＥ給電装置２００の配下に接続されるＰｏＥ接続機器３００の各情報を記憶するためのものである。情報記憶部１２０についての詳細は後述する。
【００３５】
通信部１３０は制御部１１０に接続されており、例えば有線または無線ＬＡＮ（Local Area Network）などのネットワークインターフェイスを備えた通信機器であって、制御部１１０から送られてきたデータを、ネットワークインターフェイスに接続されたネットワーク機器へ送信することができる。またネットワークインターフェイスに接続されたネットワーク機器から送信されたデータを受信して制御部１１０に送ることができる。
【００３６】
給電部１４０は制御部１１０、電源部１５０第一電源出力部１６０、および第二電源出力部１７０に接続されており、商用電源などの外部電源から電源部１５０を介して入力された電力を、制御部１１０からの指示により第一電源出力部１６０および第二電源出力部１７０への給電を制御するためのものである。
【００３７】
電源部１５０は給電部１４０に接続されており、商用電源など外部電源コンセントから入力された電力を、電源制御装置１００が備える各部に供給するためのものである。
【００３８】
第一電源出力部１６０は給電部１４０に接続されており、給電部１４０から供給された電力を出力するためのものである。具体的に第一電源出力部１６０は、配線用差込接続器のプラグ受けであって、接続されるＰｏＥ給電装置２００やルータ４００などが備える配線用差込接続器の差込プラグが挿入され、電源制御装置１００を介した電力が本体接続機器に供給される。
【００３９】
第二電源出力部１７０は給電部１４０に接続されており、給電部１４０から供給された電力を出力するためのものである。具体的に第二電源出力部１７０は、配線用差込接続器のプラグ受けであって、接続されるＰｏＥ給電装置２００やルータ４００などが備える配線用差込接続器の差込プラグが挿入され、電源制御装置１００を介した電力が本体接続機器に供給される。
【００４０】
図２は、電源制御装置が接続された電源制御システム全体の概念を示す図である。
図２に示すように、電源制御システムは、電源制御装置１００、ＰｏＥ給電装置２００、ＰｏＥ接続機器３００、およびルータ４００備えており、各装置はネットワークケーブルによって接続され、インターネット５００に接続されている。
【００４１】
ルータ４００は、インターネット５００に接続するためのゲートウェイとして利用するものであって、ルータ４００に電力を供給するための配線用差込接続器の差込プラグは、電源制御装置１００が備える第一電源出力部１６０または第二電源出力部１７０に接続され、電源制御装置１００からの電力供給を受けてルータ４００は動作する。
【００４２】
なお、ここでは便宜上、ルータ４００は第一電源出力部１６０に接続されているものとする。また、ルータ４００は、他にゲートウェイ機器、ＯＮＵ（Optical Network Unit）などの機器でもよい。
【００４３】
またルータ４００は、ネットワークケーブルを介してＰｏＥ給電装置２００が備えるアップリンク側ポートに接続され、ＰｏＥ給電装置２００およびＰｏＥ給電装置２００の配下に接続されるＰｏＥ接続機器３００との通信を行なうことができる。
【００４４】
電源制御装置１００が備える電源部１５０は、商用電源などの外部電源６００に接続され、電源制御装置１００に接続された本体接続機器に電力を供給することができる。また電源制御装置１００が備える通信部１３０は、ネットワークケーブルを介してＰｏＥ給電装置２００が備えるダウンリンク側ポートに接続され、ＰｏＥ給電装置２００およびルータ４００を介して各ＰｏＥ接続機器３００、およびインターネット５００に接続することができる。
【００４５】
ＰｏＥ給電装置２００は、配下に接続されたＰｏＥ接続機器３００との通信を中継する通信中継機能と、配下に接続されたＰｏＥ接続機器３００への電源を供給する電源供給機能を備えた機器である。
【００４６】
ＰｏＥ給電装置２００に電力を供給するための配線用差込接続器の差込プラグは、電源制御装置１００が備える第一電源出力部１６０または第二電源出力部１７０に接続され、電源制御装置１００からの電力供給を受けてＰｏＥ給電装置２００は動作する。なお、ここでは便宜上、ＰｏＥ給電装置２００は第二電源出力部１７０に接続されているものとする。
【００４７】
また、ＰｏＥ給電装置２００は内部にＰｏＥ電源制御部２１０を備えている。ＰｏＥ給電装置２００の配下に接続されたＰｏＥ接続機器３００への電源供給は、ＰｏＥ電源制御部２１０によって制御されており、必要に応じて電力の遮断および接続がＰｏＥ接続機器３００ごとに制御部２１０によって制御される。
【００４８】
ＰｏＥ接続機器３００は、ネットワークケーブルを介してＰｏＥ給電装置２００が備えるダウンリンク側ポートに接続され、ＰｏＥ給電装置２００およびルータ４００を介して各ＰｏＥ接続機器３００、およびインターネット５００に接続することができる。
【００４９】
またＰｏＥ接続機器３００がＰｏＥ給電に対応した機器である場合は、ＰｏＥ給電装置２００にツイストペアケーブルを使用することで、電力の供給と情報通信とを同時に行なうことができる。
【００５０】
ＰｏＥ接続機器３００は、例えばＰｏＥ給電に対応したアクセスポイント３１０、３２０、ウェブカメラ３３０、およびＩＰ電話３４０であって、ツイストペアケーブルを介してＰｏＥ給電装置２００に接続されることにより、ＰｏＥ給電装置２００による電力の供給、およびＰｏＥ給電装置２００を介して構築されたネットワークに接続されている。
【００５１】
以上により、電源制御装置１００、ＰｏＥ接続機器３００、およびルータ４００は、ネットワークケーブルを介して、ＰｏＥ給電装置２００に接続されており、各機器によりネットワークが構築され、お互いに情報を通信し合うことができる。また各機器は、ルータ４００を介してインターネット５００に接続することができる。
【００５２】
次に、ＰｏＥ給電装置２００およびルータ４００を安定して運用するための概要を説明する。
図２のようなネットワーク構成で、複数のＰｏＥ接続機器３００が接続されたＰｏＥ給電装置２００は、各ＰｏＥ接続機器３００による通信パケットが集中することになる。またＰｏＥ給電装置２００はルータ４００を介してインターネット５００に接続されているため、ルータ４００も通信パケットが集中することになる。
【００５３】
通信パケットが集中したことにより、ＰｏＥ給電装置２００がフリーズしてしまった場合、ＰｏＥ給電装置２００の配下に接続されたＰｏＥ接続機器３００は、電力の供給や情報通信が滞り、ＰｏＥ接続機器３００が正常に機能しなくなってしまうため、構築されたネットワーク全体を安定して運用することができなくなる。
【００５４】
また、通信パケットが集中したことにより、ルータ４００がフリーズしてしまった場合、ルータ４００が行なうルーティング処理や、インターネット５００に接続する処理が滞り、ＰｏＥ給電装置２００およびＰｏＥ給電装置２００の配下に接続されたＰｏＥ接続機器３００が正常に機能しなくなってしまう。つまり、構築されたネットワークに接続されたネットワーク機器を安定して運用するためには、ＰｏＥ給電装置２００およびルータ４００を安定させて動作させなければならない。
【００５５】
まず、電源制御装置１００が備える制御部１１０は、通信部１３０を介して接続されたネットワーク機器の正常稼働を監視し、接続されたネットワーク機器が正常稼働しているか否かを判断する。
【００５６】
ここでは仮に、ルータ４００が正常稼働していないと制御部１１０が判断した場合を考える。制御部１１０は、ルータ４００を正常稼働させるため、給電部１４０に対して一時的に第一電源出力部１６０への電力の供給を遮断する指示情報を出力する。これにより給電部１４０は第一電源出力部１６０への電力の供給を遮断し、ルータ４００は強制的にシャットダウンされる。
【００５７】
その後、所定の間隔を開けて、再度第一電源出力部１６０への電力の供給を開始する指示情報を給電部１４０に制御部１１０が出力する。これにより、ルータ４００は再起動し、電源制御装置１００はルータ４００を正常稼働させることができる。
【００５８】
次は、ＰｏＥ給電装置２００が正常稼働していないと制御部１１０が判断した場合を考える。制御部１１０は、ＰｏＥ給電装置２００を正常稼働させるため、給電部１４０に対して一時的に第二電源出力部１７０への電力の供給を遮断する指示情報を出力する。これにより給電部１４０は第二電源出力部１７０への電力の供給を遮断し、ＰｏＥ給電装置２００は強制的にシャットダウンされる。
【００５９】
その後、所定の間隔を開けて、再度第二電源出力部１７０への電力の供給を開始する指示情報を給電部１４０に制御部１１０が出力する。これにより、ＰｏＥ給電装置２００は再起動し、電源制御装置１００はＰｏＥ給電装置２００を正常稼働させることができる。
【００６０】
ルータ４００またはＰｏＥ給電装置２００が正常に稼働しなくなる原因は、データ破損による論理障害や、機器そのものが破損する物理障害が起こることは少なく、大量の通信パケットが流れ込むなどの突発的な原因によりフリーズしてしまうことが多い。
【００６１】
このような場合は、ルータ４００またはＰｏＥ給電装置２００を再起動するだけで正常復帰することが多く、上記のように電源制御装置１００がルータ４００またはＰｏＥ給電装置２００への電力供給を一時的に遮断、そして再接続とするだけで、ルータ４００またはＰｏＥ給電装置２００は再起動し、正常稼働させることができる。
【００６２】
次は、ＰｏＥ給電装置２００の配下に接続されたＰｏＥ接続機器３００であるアクセスポイント３１０が正常稼働していないと制御部１１０が判断した場合を考える。アクセスポイント３１０は上記のルータ４００またはＰｏＥ給電装置２００が正常に稼働しなくなる原因と同様に、再起動することで正常稼働させることができる場合が多い。
【００６３】
ところが、アクセスポイント３１０は、電源制御装置１００により直接電源供給を行なっていないため、給電部１４０による電力供給の一時的に遮断、再接続を行なうことでアクセスポイント３１０を直接再起動させることはできない。
【００６４】
そこで、制御部１１０は、アクセスポイント３１０を正常稼働させるため、通信部１３０を介してＰｏＥ給電装置２００と通信を行ない、ＰｏＥ給電装置２００が備えるＰｏＥ電源制御部２１０に対して、一時的にアクセスポイント３１０への電力の供給を遮断し、再度電力の供給を開始する指示情報を出力する。これにより、アクセスポイント３１０は再起動し、正常稼働させることができる。
【００６５】
また、ＰｏＥ接続機器３００がコンピュータのように電力の遮断、再接続で自動で再起動しない場合、制御部１１０がＰｏＥ電源制御部２１０に対して一時的にアクセスポイント３１０への電力の供給を遮断する指示情報を出力し、後にマジックパケットのように遠隔からコンピュータが自ら電源を投入させる特定のコマンドを、ＰｏＥ接続機器３００に制御部１１０が通信部１３０を介して送信することもできる。
【００６６】
上記に様な電源制御システムを構築することで、ＰｏＥ給電装置２００、ＰｏＥ接続機器３００、ルータ４００の正常稼働を電源制御装置１００が監視し、正常稼働していない場合には必要に応じて、電源制御装置１００に直接接続されたＰｏＥ給電装置２００およびルータ４００を再起動させ、ＰｏＥ給電装置２００を介してＰｏＥ接続機器３００を再起動させることができるので、正常稼働率を上昇させることができる。つまりＰｏＥ給電装置がフリーズしてもＰｏＥ給電装置および接続機器を安定して運用させることができる。
【００６７】
また、上記のような電源制御システムを構築することで、電源制御装置１００に接続された各機器の電源ＯＮ／ＯＦＦ制御を管理者が遠隔操作することができる。
具体的には、インターネット５００のクラウド上から管理者は、ゲートウェイとしてのルータ４００を介して電源制御装置１００にアクセスする。
【００６８】
電源制御装置１００が備える制御部１１０は、通信部１３０を介して接続されたネットワーク機器の正常稼働を監視しているため、ＰｏＥ接続機器３００の稼働状況および電源ＯＮ／ＯＦＦ状態を把握することができる。
【００６９】
制御部１１０は、ＰｏＥ給電装置２００を介してＰｏＥ接続機器３００の電源制御が行えるので、管理者は電源制御装置１００に対して、特定のＰｏＥ接続機器３００の電源ＯＮ／ＯＦＦ制御信号を送信することで、受信した信号により制御部１１０はＰｏＥ給電装置２００が備えるＰｏＥ電源制御部２１０に対して電源ＯＮ／ＯＦＦ制御信号を送信することができる。これにより、管理者は遠隔操作で電源制御システムにより構築されたネットワーク内のＰｏＥ接続機器３００の電源ＯＮ／ＯＦＦ制御が行うことができる。
【００７０】
図３は、制御部の詳細を示すブロック図である。
図３に示すように、制御部１１０は、監視部１１１および電源制御部１１２を備えている。
【００７１】
監視部１１１は電源制御部１１２、情報記憶部１２０、および通信部１３０に接続されており、通信部１３０を介してＰｏＥ給電装置２００、ＰｏＥ給電装置２００の配下に接続されたＰｏＥ接続機器３００、およびルータ４００の正常稼働を監視するためのものである。
【００７２】
具体的には、定期的に通信部１３０を介してＰｏＥ給電装置２００、ＰｏＥ給電装置２００の配下に接続されたＰｏＥ接続機器３００、およびルータ４００に割り振られたＩＰアドレスまたはホスト名に対して監視部１１１がネットワークの疎通を確認するために使用されるＰｉｎｇコマンドを実行してパケットを送信する。
【００７３】
Ｐｉｎｇコマンドを実行してパケットを送信するために必要なＩＰアドレスまたはホスト名は、情報記憶部１２０に記憶されており、監視部１１１は必要に応じて情報記憶部１２０似記憶された情報を参照して、Ｐｉｎｇコマンドを実行してパケットを送信することができる。
【００７４】
監視部１１１が実行したＰｉｎｇコマンドに本体接続機器またはＰｏＥ接続機器３００による正常な応答があれば、正常な応答があった本体接続機器またはＰｏＥ接続機器３００は正常稼働していると判断され、正常な応答がなければ、正常な応答がなかった本体接続機器またはＰｏＥ接続機器３００は正常稼働していないと判断することができる。
【００７５】
なお、監視部１１１が実行したＰｉｎｇコマンドに正常な応答があったか否かの判断は、例えば情報記憶部１２０に記憶された本体接続機器またはＰｏＥ接続機器３００毎に設定された送信数に対する規定の応答数を満たすか否かで判断される。
【００７６】
また監視部１１１による正常稼働の監視は、Ｐｉｎｇコマンドの実行による応答の可否だけでなく、ＰｏＥ給電装置２００、ＰｏＥ給電装置２００の配下に接続されたＰｏＥ接続機器３００、およびルータ４００に、あらかじめ決まった周期で短いデータを監視部１１１に送るハートビートと呼ばれる設定しておき、本体接続機器またはＰｏＥ接続機器３００から送信されるハートビートが途切れることなく受信できるか否かで、本体接続機器またはＰｏＥ接続機器３００が正常稼働しているか否かを判断することができる。
【００７７】
具体的には、通信部１３０を介して本体接続機器またはＰｏＥ接続機器３００のハートビートを途切れることなく監視部１１１が受信しているときは、本体接続機器またはＰｏＥ接続機器３００は正常稼働していると判断し、本体接続機器またはＰｏＥ接続機器３００によるハートビートが途切れたときは、本体接続機器またはＰｏＥ接続機器３００は正常稼働していないと判断することができる。
【００７８】
監視部１１１は定期的に接続された本体接続機器またはＰｏＥ接続機器３００の監視を行ない、本体接続機器またはＰｏＥ接続機器３００が正常稼働していないと判断したときは、正常稼働していない本体接続機器またはＰｏＥ接続機器３００の詳細情報を接続された電源制御部１１２に送信することができる。
【００７９】
なお、監視部１１１は通信部１３０を介してＰｏＥ給電装置２００、ＰｏＥ給電装置２００の配下に接続されたＰｏＥ接続機器３００、およびルータ４００の正常稼働を監視し、正常稼働していないと判断した場合は、情報記憶部１２０に記憶された情報により、各機器の管理者に対して、機器が正常稼働していない旨を伝える警告手段を備えることができる。
【００８０】
例えば、情報記憶部１２０に記憶された情報により管理者にメールにより通知することも出来るし、電源制御装置１００に備えた警告ランプを点灯させてエラーを通知するようにしてもよい。
【００８１】
また、ＰｏＥ給電装置２００に接続されるＰｏＥ接続機器３００が、ＰｏＥ給電に対応していない機器の場合は、ＰｏＥ電源制御部２１０によるＰｏＥ接続機器３００の電源制御が行えない、つまり再起動による稼働の正常化ができないので、正常稼働していないと判断した場合は直ちに管理者に警告メールを通知することができる。
【００８２】
電源制御部１１２は監視部１１１、情報記憶部１２０、通信部１３０、および給電部１４０に接続されており、監視部１１１より受信した正常稼働していない本体接続機器またはＰｏＥ接続機器３００の詳細情報により、本体接続機器またはＰｏＥ接続機器３００の電源制御処理を行なう。
【００８３】
具体的には、電源制御部１１２は監視部１１１より受信した正常稼働していない本体接続機器またはＰｏＥ接続機器３００の詳細情報により、正常稼働していない本体接続機器またはＰｏＥ接続機器３００が電源制御装置１００に直接接続された本体接続機器か、ＰｏＥ給電装置２００に接続されたＰｏＥ接続機器３００かを判断して電源制御処理を行なう。
【００８４】
さらに具体的には、正常稼働していない機器が電源制御装置１００から直接電源供給されているＰｏＥ給電装置２００、またはルータ４００である場合は、給電部１４０による第一電源出力部１６０または第二電源出力部１７０への電力供給の遮断および再接続の指示情報を、電源制御部１１２が給電部１４０に出力する。これにより給電部１４０は、該当した本体接続機器に対して電力供給の遮断および再接続を行い、正常稼働していない本体接続機器を再起動させることができる。
【００８５】
また、正常稼働していない機器がＰｏＥ給電装置２００から電源供給されているＰｏＥ接続機器３００の場合は、ＰｏＥ電源制御部２１０によるＰｏＥ接続機器３００への電力供給の遮断および再接続の指示情報を、電源制御部１１２がＰｏＥ電源制御部２１０に出力する。
【００８６】
これによりＰｏＥ電源制御部２１０は、該当したＰｏＥ接続機器３００に対して電力供給の遮断および再接続を行い、正常稼働していないＰｏＥ接続機器３００を再起動させることができる。
【００８７】
また電源制御部１１２は、インターネット５００を介して電源制御装置１００に接続した管理者からの遠隔指示により、情報記憶部１２０に記憶された情報により、ＰｏＥ給電装置２００の配下に接続されたＰｏＥ接続機器３００の電源をＯＮ／ＯＦＦ制御するために、ＰｏＥ給電装置２００が備えるＰｏＥ電源制御部２１０に対して電源ＯＮ／ＯＦＦ制御信号を送信することができる。これにより、管理者は遠隔操作で電源制御システムにより構築されたネットワーク内のＰｏＥ接続機器３００の電源ＯＮ／ＯＦＦ制御を行うことができる。
【００８８】
図４は、情報記憶部の詳細を示すブロック図である。
図４に示すように、情報記憶部１２０は、本体接続機器情報記憶部１２１およびＰｏＥ接続機器情報記憶部１２２を備えている。
【００８９】
本体接続機器情報記憶部１２１は、電源制御装置１００が備える第一電源出力部１６０または第二電源出力部１７０に直接接続され、電源制御装置１００による電源供給がされる本体接続機器の詳細情報が記憶されている。
【００９０】
具体的には、第一電源出力部１６０に接続されたルータ４００、および第二電源出力部１７０に接続されたＰｏＥ給電装置２００をネットワーク上で特定するための情報が記憶されている。記憶される情報の詳細は後述する。
【００９１】
ＰｏＥ接続機器情報記憶部１２２は、ＰｏＥ給電装置２００の配下に接続され、ＰｏＥ給電装置２００による電源供給がされるＰｏＥ接続機器３００の詳細情報が記憶されている。
【００９２】
具体的には、ＰｏＥ給電装置２００の配下に接続された、アクセスポイント３１０、３２０、ウェブカメラ３３０、ＩＰ電話３４０をネットワーク上で特定するための情報が記憶されている。記憶される情報の詳細は後述する。
【００９３】
図５は、本体接続機器情報記憶部が記憶する本体接続機器情報のデータ構造例を示す図である。
図５に示すように、本体接続機器情報には、「キー」、「出力部情報」、「本体接続機器情報」、および「監視情報」の欄が設けられ、「キー」として、「出力部コード」の欄が設けられ、「出力部情報」として、「出力部名称」、「ＯＦＦ遅延」、「再投入」、「ＯＮ遅延」、「起動時」、および「連動」の各欄が設けられ、「本体接続機器情報」として、「本体接続機器名称」、「ＭＡＣアドレス」、および「ＩＰアドレス」の各欄が設けられ、「監視情報」として、「Ｐｉｎｇ送信間隔」、「送信」、「無答」、「動作」、および「緊急連絡先」の各欄が設けられている。各欄の縦方向に並べられた情報同士が互いに関連づけられ、本体接続機器に関する詳細情報のレコードを構成している。
【００９４】
「出力部コード」の欄には、電源出力部を識別するための識別情報である電源出力部固有の文字列が設定されている。
「出力部名称」の欄には、第一電源出力部１６０または第二電源出力部１７０の電源出力部を識別するための電源出力部固有の名称が設定されている。「ＯＦＦ遅延」の欄には、第一電源出力部１６０または第二電源出力部１７０の電源出力部が電源出力を停止する際の遅延時間が設定されている。「再投入」の欄には、第一電源出力部１６０または第二電源出力部１７０の電源出力部が電源出力を停止してから開始するまでの時間が設定されている。「ＯＮ遅延」の欄には、第一電源出力部１６０または第二電源出力部１７０の電源出力部が電源出力を開始するまでの時間を設定します。「起動時」の欄には、電源制御装置１００が起動した時における、電源出力が開始されるまでの時間が設定されている。「連動」の欄には、動作を連動する第一電源出力部１６０または第二電源出力部１７０の電源出力部の「出力コード」が設定されている。
【００９５】
「本体接続機器名称」の欄には、電源制御装置１００に直接接続され、電源制御装置１００により電力が供給される接続機器を識別するための本体接続機器固有の名称が設定されている。「ＭＡＣアドレス」の欄には、本体接続機器を識別するための本体接続機器固有の文字列が設定されている。「ＩＰアドレス」の欄には、ルータ４００によって割り振られ、本体接続機器を識別するための本体接続機器固有の数値が設定されている。
【００９６】
「Ｐｉｎｇ送信間隔」の欄には、監視部１１１がＰｉｎｇコマンドを実行し、ＩＣＭＰのエコー要求パケットの送信間隔である数値が設定されている。「送信」の欄には、監視部１１１がＰｉｎｇコマンドを実行した機器が、正常稼働しているか否かの判断するためにＰｉｎｇコマンドを実行し、ＩＣＭＰのエコー要求パケットの送信回数が設定されている。「無答」の欄には、「送信」で設定された送信回数の内、監視部１１１が正常稼働していないと判断する無応答回数が設定されている。「動作」の欄には、監視部１１１が正常稼働していないと判断した後に行なう動作が設定されている。「緊急連絡先」の欄には、監視部１１１が正常稼働していないと判断したときに通報する連絡先が設定されている。
【００９７】
具体的な図５の例として、出力部コード００１では、第一出力部という名称が設定され、第一電源出力部１６０が電源出力を停止する際には遅延無く電源出力を停止し、第一電源出力部１６０が電源出力を停止してから１０秒後に電源が投入され、第一電源出力部１６０は電源の投入後１秒後に電源出力が開始され、第二電源出力部１７０とは連動せずに作動する。
【００９８】
また第一電源出力部１６０には、ＭＡＣアドレス「ＡＡ：ＡＡ：ＡＡ：ＡＡ：ＡＡ：ＡＡ」かつＩＰアドレスとして「１９２．１６８．０．１」が割り振られたルータという名称のルータ４００が接続されている。
【００９９】
またルータ４００には、監視部１１１がＰｉｎｇコマンドを実行し、ＩＣＭＰのエコー要求パケットが１分ごとに送信され、送信されたＩＣＭＰのエコー要求パケット１０の内、１０の応答がなかった場合に、ルータ４００が正常稼働していないと判断し、電源制御部１１２の指示によりルータ４００の再起動が行なわれ、緊急連絡先である「ｉｎｆｏ＠※※※．ｃｏ．ｊｐ」宛てに、ルータ４００が正常稼働していなかったというメールが監視部１１１によって管理者に通知される。
【０１００】
図６は、ＰｏＥ接続機器情報記憶部が記憶するＰｏＥ接続機器情報のデータ構造例を示す図である。
図６に示すように、ＰｏＥ接続機器情報には、「キー」、「接続機器情報」、「監視情報」、および「電源制御情報」の欄が設けられ、「キー」として、「ＰｏＥ接続機器コード」の欄が設けられ、「接続機器情報」として、「接続機器名称」、「ＭＡＣアドレス」、「ＩＰアドレス」の各欄が設けられ、「監視情報」として、「Ｐｉｎｇ送信間隔」、「送信」、「無答」、「動作」、「緊急連絡先」、および「監視状態」の各欄が設けられ、「電源制御情報」として、「電源状態」、「電源スケジュール」、「制御方法」、および「ＰｏＥ対応」の各欄が設けられている。各欄の縦方向に並べられた情報同士が互いに関連づけられ、ＰｏＥ接続機器に関する詳細情報のレコードを構成している。
【０１０１】
「ＰｏＥ接続機器コード」の欄には、ＰｏＥ給電装置２００の配下に接続されるＰｏＥ接続機器３００を識別するための識別情報であるＰｏＥ接続機器３００固有の文字列が設定されている。
【０１０２】
「接続機器名称」の欄には、ＰｏＥ給電装置２００の配下に接続されるＰｏＥ接続機器３００を識別するためのＰｏＥ接続機器３００固有の名称が設定されている。「ＭＡＣアドレス」の欄には、ＰｏＥ給電装置２００の配下に接続されるＰｏＥ接続機器３００を識別するためのＰｏＥ接続機器３００固有の文字列が設定されている。「ＩＰアドレス」の欄には、ルータ４００によって割り振られ、ＰｏＥ給電装置２００の配下に接続されるＰｏＥ接続機器３００を識別するためのＰｏＥ接続機器３００固有の数値が設定されている。
【０１０３】
「Ｐｉｎｇ送信間隔」の欄には、監視部１１１がＰｉｎｇコマンドを実行し、ＩＣＭＰのエコー要求パケットの送信間隔である数値が設定されている。「送信」の欄には、監視部１１１がＰｉｎｇコマンドを実行した機器が、正常稼働しているか否かの判断するためにＰｉｎｇコマンドを実行し、ＩＣＭＰのエコー要求パケットの送信回数が設定されている。「無答」の欄には、「送信」で設定された送信回数の内、監視部１１１が正常稼働していないと判断する無応答回数が設定されている。「動作」の欄には、監視部１１１が正常稼働していないと判断した後に行なう動作が設定されている。「緊急連絡先」の欄には、監視部１１１が正常稼働していないと判断したときに通報する連絡先が設定されている。「監視状態」の欄には、正常稼働しているか否かを監視部１１１が監視している現在の状態が設定されている。
【０１０４】
「電源状態」の欄には、ＰｏＥ給電装置２００の配下に接続されるＰｏＥ接続機器３００の電源状態が設定され、稼働している場合は「ＯＮ」、稼働していない場合は「ＯＦＦ」が設定される。「電源スケジュール」の欄には、ＰｏＥ給電装置２００の配下に接続されるＰｏＥ接続機器３００の稼働スケジュールが設定される。「制御方法」の欄には、ＰｏＥ給電装置２００の配下に接続されるＰｏＥ接続機器３００の制御方法が設定され、例えば電力の遮断・接続で制御できるのか、またはマジックパケットのように特定のコマンドによる起動が必要なのかが設定されている。「ＰｏＥ対応」の欄には、ＰｏＥ給電装置２００の配下に接続されるＰｏＥ接続機器３００がＰｏＥ対応機器であるか否かが設定され、ＰｏＥ対応機器である場合は「可」、ＰｏＥ対応機器でない場合は「不可」が設定されている。
【０１０５】
具体的な図６の例として、ＰｏＥ接続機器コードでは、ＭＡＣアドレス「ＣＣ：ＣＣ：ＣＣ：ＣＣ：ＣＣ：ＣＣ」かつＩＰアドレスとして「１９２．１６８．・・・」が割り振られたＡＰという名称のアクセスポイント３１０が接続されている。
【０１０６】
またアクセスポイント３１０には、監視部１１１がＰｉｎｇコマンドを実行し、ＩＣＭＰのエコー要求パケットが１分ごとに送信され、送信されたＩＣＭＰのエコー要求パケット５の内、５の応答がなかった場合に、アクセスポイント３１０が正常稼働していないと判断し、ＰｏＥ給電装置２００が備えるＰｏＥ電源制御部２１０に対して電源制御部１１２が制御信号を送信することで、アクセスポイント３１０の再起動が行なわれ、緊急連絡先である「ｉｎｆｏ＠・・・」宛てに、アクセスポイント３１０が正常稼働していなかったというメールが監視部１１１によって管理者に通知され、現在の監視部１１１による監視状態は正常と判断されている。
【０１０７】
またアクセスポイント３１０の現在の電源状態は「ＯＮ」であり、ＡＭ６：００に電源が投入され、アクセスポイント３１０の制御方法は電力の遮断・接続によって制御され、アクセスポイント３１０はＰｏＥ対応機器である。
【０１０８】
図７は、電源制御装置が監視を開始してから、電源制御を行なうまでの処理を示すフローチャートである。以下、図７に示す処理をステップ番号に沿って説明する。
〔ステップＳ１１〕電源制御装置１００は、本体接続機器およびＰｏＥ接続機器３００の稼働確認を行なう。具体的には、監視部１１１が本体接続機器情報記憶部１２１およびＰｏＥ接続機器情報記憶部１２２に記憶された本体接続機器およびＰｏＥ接続機器３００のうち特定の機器に対して、設定された間隔で監視部１１１がＰｉｎｇコマンドを実行し、ＩＣＭＰのエコー要求パケットが監視部１１１によって送信される。
【０１０９】
特定の本体接続機器およびＰｏＥ接続機器３００が正常に稼働しており応答すればエコー応答パケットが返ってくるので、監視部１１１はエコー応答パケットを受信し、応答有とカウントする。
【０１１０】
また、特定の本体接続機器およびＰｏＥ接続機器３００が正常に稼働しておらず応答しなければエコー応答パケットが返ってこないので、監視部１１１はエコー応答パケットを受信せず、応答無とカウントする。
【０１１１】
または、本体接続機器およびＰｏＥ接続機器に、あらかじめ決まった周期でハートビートを送信する設定しておき、監視部１１１が定期的にハートビートを受信するかで本体接続機器およびＰｏＥ接続機器の正常稼働を確認する。
【０１１２】
〔ステップＳ１２〕電源制御装置１００は、本体接続機器およびＰｏＥ接続機器が正常に稼働しているか否かを判断する。具体的には、監視部１１１がＰｉｎｇコマンドを実行し、送信したエコー要求パケット数に対するエコー応答パケットの応答無のカウント数が、あらかじめ本体接続機器情報記憶部１２１およびＰｏＥ接続機器情報記憶部１２２に記憶された「送信」および「無答」で設定された値を満足するか否かで、本体接続機器およびＰｏＥ接続機器が正常に稼働しているか否かを監視部１１１が判断する。
【０１１３】
または、本体接続機器およびＰｏＥ接続機器に設定されたハートビートの送信を監視部１１１が受信し、ハートビートを途切れることなく監視部１１１が受信しているときは、機器は正常稼働していると判断し、ハートビートが途切れたときは、機器は正常稼働していないと監視部１１１が判断する。
【０１１４】
本体接続機器またはＰｏＥ接続機器が正常に稼働していると電源制御装置１００が判断したときは、処理をステップＳ１１に進め、本体接続機器またはＰｏＥ接続機器が正常に稼働していないと電源制御装置１００が判断したときは、処理をステップＳ１３に進める。
【０１１５】
〔ステップＳ１３〕電源制御装置１００は、正常に稼働していない本体接続機器またはＰｏＥ接続機器３００に対して電源制御を行なう。具体的には、正常に稼働していない本体接続機器またはＰｏＥ接続機器３００に対して供給される電力を一時的に遮断し、再度接続して電力を供給することで本体接続機器またはＰｏＥ接続機器を再起動させる。これにより本体接続機器またはＰｏＥ接続機器は正常稼働することになる。
【０１１６】
図８は、電源制御装置が正常稼働していないと判断してから、電源制御を行なうまでの処理を示すフローチャートである。以下、図８に示す処理をステップ番号に沿って説明する。
【０１１７】
〔ステップＳ２１〕電源制御装置１００は、正常稼働していない機器が本体接続機器であるか、または正常稼働していない機器がＰｏＥ接続機器３００であるかの判断を行なう。
【０１１８】
具体的には、エコー応答パケットが規定数返されなかったＩＰアドレス、またはハートビートが途絶えたＭＡＣアドレスから、本体接続機器情報記憶部１２１およびＰｏＥ接続機器情報記憶部１２２を電源制御部１１２が参照し、正常稼働していない機器が本体接続機器であるかＰｏＥ接続機器であるかの判断を電源制御部１１２が行なう。
【０１１９】
正常稼働していない機器が本体接続機器であると電源制御部１１２が判断したときは、処理をステップＳ２２に進め、正常稼働していない機器がＰｏＥ接続機器であると電源制御部１１２が判断したときは、処理をステップＳ２３に進める。
【０１２０】
〔ステップＳ２２〕電源制御装置１００は、電源制御を行なう。具体的には、ステップＳ２１で判断された正常稼働していない本体接続機器を正常稼働させるために、電源制御部１１２は、給電部１４０による第一電源出力部１６０または第二電源出力部１７０への電力供給を一時的に遮断し、その後電力供給を再開する指示情報を、給電部１４０に電源制御部１１２が出力する。
【０１２１】
〔ステップＳ２３〕電源制御装置１００は、制御コマンドを作成する。具体的には、ステップＳ２１で判断された正常稼働していないＰｏＥ接続機器３００を正常化するために、電源制御部１１２は、ＰｏＥ電源制御部２１０による正常稼働していないＰｏＥ接続機器３００への電力供給を一時的に遮断し、その後電力供給を再開するための制御コマンドを電源制御部１１２が作成する。
【０１２２】
〔ステップＳ２４〕電源制御装置１００は、制御コマンドを送信する。具体的には、ステップＳ２３で作成された制御コマンドを、情報記憶部１２０に記憶された本体接続機器情報を参照して、ＰｏＥ給電装置２００が有するＰｏＥ電源制御部２１０に電源制御部１１２が制御コマンドを送信する。
【０１２３】
〔ステップＳ２５〕ＰｏＥ給電装置２００は、制御コマンドを受信する。具体的には、ステップＳ２４で電源制御部１１２が送信した制御コマンドを、ＰｏＥ給電装置２００が有するＰｏＥ電源制御部２１０が受信する。
【０１２４】
〔ステップＳ２６〕ＰｏＥ給電装置２００は、電源制御を行なう。具体的には、ステップＳ２３およびステップＳ２４で電源制御部１１２が作成し送信された制御コマンドを、ＰｏＥ電源制御部２１０が実行することで、ＰｏＥ電源制御部２１０が電源制御を行なう。
【０１２５】
さらに具体的には、ＰｏＥ電源制御部２１０が制御コマンドを実行することで、ＰｏＥ電源制御部２１０による正常稼働していないＰｏＥ接続機器３００への電力供給を一時的に遮断し、その後電力供給を再開させることで、正常稼働していないＰｏＥ接続機器３００を再起動させる。
【０１２６】
図９は、電源制御装置により管理者がネットワーク内のＰｏＥ接続機器を遠隔操作するための電源ＯＮ／ＯＦＦ制御信号を受信してから、電源ＯＮ／ＯＦＦ制御を行なうまでの処理を示すフローチャートである。以下、図９に示す処理をステップ番号に沿って説明する。
【０１２７】
〔ステップＳ３１〕電源制御装置１００は、管理者からの電源ＯＮ／ＯＦＦ制御信号を受信する。具体的には、インターネット５００のクラウド上から管理者は、ゲートウェイとしてのルータ４００を介して電源制御装置１００にアクセスし、管理者が送信した遠隔操作するための電源ＯＮ／ＯＦＦ制御信号を電源制御部１１２が受信する。
【０１２８】
〔ステップＳ３２〕電源制御装置１００は、制御コマンドを作成する。具体的には、ステップＳ３１により受信した電源ＯＮ／ＯＦＦ制御信号により、対象のＰｏＥ接続機器３００への電力供給を遮断または接続する制御コマンドを電源制御部１１２が作成する。
【０１２９】
〔ステップＳ３３〕電源制御装置１００は、制御コマンドを送信する。具体的には、ステップＳ３２作成された制御コマンドを、情報記憶部１２０に記憶された本体接続機器情報を参照して、ＰｏＥ給電装置２００が有するＰｏＥ電源制御部２１０に電源制御部１１２が制御コマンドを送信する。
【０１３０】
〔ステップＳ３４〕ＰｏＥ給電装置２００は、制御コマンドを受信する。具体的には、ステップＳ３３で電源制御部１１２が送信した制御コマンドを、ＰｏＥ給電装置２００が有するＰｏＥ電源制御部２１０が受信する。
【０１３１】
〔ステップＳ３５〕ＰｏＥ給電装置２００は、電源制御を行なう。具体的には、ステップＳ３２およびステップＳ３３で電源制御部１１２が作成し送信された制御コマンドを、ＰｏＥ電源制御部２１０が実行することで、ＰｏＥ電源制御部２１０が電源制御を行なう。
【０１３２】
さらに具体的には、ＰｏＥ電源制御部２１０が制御コマンドを実行することで、管理者が指示した対象のＰｏＥ接続機器３００への電力供給を遮断または接続することで、管理者による遠隔からの電源ＯＮ／ＯＦＦ制御を行なうことができる。
【０１３３】
以上のように、電源制御装置１００は監視と電源制御のみを行なう装置であり、大量のパケットが集中しないため、安定した稼働をすることができる。この安定した電源制御装置１００によって、大量のパケットが集中しやすいＰｏＥ給電装置２００や、ルータ４００を安定して正常稼働させることができる。
【０１３４】
〔第２の実施の形態〕
次に、本発明の第２の実施の形態について説明する。本実施の形態の電源制御装置は、電源出力部の数が異なる以外は、第１の実施の形態で示した構成とほぼ同様である。このため、上記第１の実施の形態とほぼ同様の構成部分については同一の符号を付すなどして適宜その説明を省略する。
【０１３５】
図１０は、第２の実施の形態に係る電源制御装置の詳細を示すブロック図である。
図１０に示すように、電源制御装置１００は、制御部１１０、情報記憶部１２０、通信部１３０、給電部１４０、電源部１５０、第一電源出力部１６０、第二電源出力部１７０、および第三電源出力部１８０を備えている。
【０１３６】
電源制御装置１００は、商用電源などの外部電源から電源部１５０を介して入力された電力を制御し、第一電源出力部１６０、第二電源出力部１７０、および第三電源出力部１８０に接続される図示しないＰｏＥ給電装置２００および７００、およびルータ４００である本体接続機器と、ＰｏＥ給電装置２００および７００の配下に接続された図示しないＰｏＥ接続機器３００とを安定して運用するための装置である。
【０１３７】
給電部１４０は制御部１１０、電源部１５０第一電源出力部１６０、第二電源出力部１７０、および第三電源出力部１８０に接続されており、商用電源などの外部電源から電源部１５０を介して入力された電力を、制御部１１０からの指示により第一電源出力部１６０および第二電源出力部１７０、および第三電源出力部１８０への給電を制御するためのものである。
【０１３８】
第三電源出力部１８０は給電部１４０に接続されており、給電部１４０から供給された電力を出力するためのものである。具体的に第三電源出力部１８０は、配線用差込接続器のプラグ受けであって、接続されるＰｏＥ給電装置２００および７００やルータ４００などが備える配線用差込接続器の差込プラグが挿入され、電源制御装置１００を介した電力が本体接続機器に供給される。
【０１３９】
図１１は、電源制御装置が接続された電源制御システム全体の概念を示す図である。
図１１に示すように、電源制御システムは、電源制御装置１００、ＰｏＥ給電装置２００および７００、ＰｏＥ接続機器３００、およびルータ４００備えており、各装置はネットワークケーブルによって接続され、インターネット５００に接続されている。
【０１４０】
電源制御装置１００が備える電源部１５０は、商用電源などの外部電源６００に接続され、電源制御装置１００に接続された本体接続機器に電力を供給することができる。また電源制御装置１００が備える通信部１３０は、ネットワークケーブルを介してＰｏＥ給電装置２００が備えるダウンリンク側ポートに接続され、ＰｏＥ給電装置２００および７００およびルータ４００を介して各ＰｏＥ接続機器３００、およびインターネット５００に接続することができる。
【０１４１】
ＰｏＥ給電装置２００および７００は、配下に接続されたＰｏＥ接続機器３００との通信を中継する通信中継機能と、配下に接続されたＰｏＥ接続機器３００への電源を供給する電源供給機能を備えた機器である。
【０１４２】
ＰｏＥ給電装置２００および７００に電力を供給するための配線用差込接続器の差込プラグは、電源制御装置１００が備える第一電源出力部１６０、第二電源出力部１７０、または第三電源出力部１８０に接続され、電源制御装置１００からの電力供給を受けてＰｏＥ給電装置２００および７００は動作する。なお、ここでは便宜上、ＰｏＥ給電装置２００は第二電源出力部１７０、ＰｏＥ給電装置７００は第三電源出力部１８０に接続されているものとする。
【０１４３】
また、ＰｏＥ給電装置７００は内部にＰｏＥ電源制御部７１０を備えている。ＰｏＥ給電装置７００の配下に接続されたＰｏＥ接続機器３００への電源供給は、ＰｏＥ電源制御部７１０によって制御されており、必要に応じて電力の遮断および接続がＰｏＥ接続機器３００ごとにＰｏＥ電源制御部７１０によって制御される。
【０１４４】
ＰｏＥ接続機器３００は、ネットワークケーブルを介してＰｏＥ給電装置２００および７００が備えるダウンリンク側ポートに接続され、ＰｏＥ給電装置２００およびルータ４００を介して各ＰｏＥ接続機器３００、およびインターネット５００に接続することができる。
【０１４５】
またＰｏＥ接続機器３００がＰｏＥ給電に対応した機器である場合は、ＰｏＥ給電装置２００にツイストペアケーブルを使用することで、電力の供給と情報通信とを同時に行なうことができる。
【０１４６】
ＰｏＥ接続機器３００は、例えばＰｏＥ給電に対応したアクセスポイント３１０、３５０、３６０、ウェブカメラ３３０、３８０、ＩＰ電話３４０、３７０、およびパソコン３９０であって、ツイストペアケーブルを介してＰｏＥ給電装置２００および７００に接続されることにより、ＰｏＥ給電装置２００および７００による電力の供給、およびＰｏＥ給電装置２００および７００を介して構築されたネットワークに接続されている。
【０１４７】
さらに、ＰｏＥ給電装置２００が有するダウンリンク側ポートと、ＰｏＥ給電装置７００が有するアップリンク側ポートとはネットワークケーブルで接続されており、ＰｏＥ給電装置２００の配下に接続されたＰｏＥ接続機器３００と、ＰｏＥ給電装置７００の配下に接続されたＰｏＥ接続機器３００とは互いに通信することができる。
【０１４８】
以上により、電源制御装置１００、ＰｏＥ接続機器３００、ルータ４００、およびＰｏＥ給電装置７００は、ネットワークケーブルを介して、ＰｏＥ給電装置２００に接続されており、各機器によりネットワークが構築され、お互いに情報を通信し合うことができる。また各機器は、ルータ４００を介してインターネット５００に接続することができる。
【０１４９】
次に、ＰｏＥ給電装置２００およびルータ４００を安定して運用するための概要を説明する。
図１１のようなネットワーク構成で、複数のＰｏＥ接続機器３００が接続されたＰｏＥ給電装置２００および７００は、各ＰｏＥ接続機器３００による通信パケットが集中することになる。またＰｏＥ給電装置２００および７００はルータ４００を介してインターネット５００に接続されているため、ルータ４００も通信パケットが集中することになる。
【０１５０】
通信パケットが集中したことにより、ＰｏＥ給電装置２００および７００がフリーズしてしまった場合、ＰｏＥ給電装置２００および７００の配下に接続されたＰｏＥ接続機器３００は、電力の供給や情報通信が滞り、ＰｏＥ接続機器３００が正常に機能しなくなってしまうため、構築されたネットワーク全体を安定して運用することができなくなる。
【０１５１】
また、通信パケットが集中したことにより、ルータ４００がフリーズしてしまった場合、ルータ４００が行なうルーティング処理や、インターネット５００に接続する処理が滞り、ＰｏＥ給電装置２００およびＰｏＥ給電装置２００および７００の配下に接続されたＰｏＥ接続機器３００が正常に機能しなくなってしまう。つまり、構築されたネットワークに接続されたネットワーク機器を安定して運用するためには、ＰｏＥ給電装置２００およびルータ４００を安定させて動作させなければならない。
【０１５２】
まず、電源制御装置１００が備える制御部１１０は、通信部１３０を介して接続されたネットワーク機器の正常稼働を監視し、接続されたネットワーク機器が正常稼働しているか否かを判断する。
【０１５３】
次は、ＰｏＥ給電装置７００が正常稼働していないと制御部１１０が判断した場合を考える。制御部１１０は、ＰｏＥ給電装置７００を正常稼働させるため、給電部１４０に対して一時的に第三電源出力部１８０への電力の供給を遮断する指示情報を出力する。これにより給電部１４０は第三電源出力部１８０への電力の供給を遮断し、ＰｏＥ給電装置７００は強制的にシャットダウンされる。
【０１５４】
その後、所定の間隔を開けて、再度第三電源出力部１８０への電力の供給を開始する指示情報を給電部１４０に制御部１１０が出力する。これにより、ＰｏＥ給電装置７００は再起動し、電源制御装置１００はＰｏＥ給電装置７００を正常稼働させることができる。
【０１５５】
次は、ＰｏＥ給電装置７００の配下に接続されたＰｏＥ接続機器３００であるパソコン３９０が正常稼働していないと制御部１１０が判断した場合を考える。パソコン３９０は上記のルータ４００またはＰｏＥ給電装置２００が正常に稼働しなくなる原因と同様に、再起動することで正常稼働させることができる場合が多い。
【０１５６】
ところが、パソコン３９０は、電源制御装置１００により直接電源供給を行なっていないため、給電部１４０による電力供給の一時的に遮断、再接続を行なうことでアクセスポイント３１０を直接再起動させることはできない。
【０１５７】
そこで、制御部１１０は、パソコン３９０を正常稼働させるため、通信部１３０を介してＰｏＥ給電装置７００と通信を行ない、ＰｏＥ給電装置７００が備えるＰｏＥ電源制御部７１０に対して、一時的にパソコン３９０への電力の供給を遮断し、再度電力の供給を開始する指示情報を出力する。その後、マジックパケットのように遠隔からコンピュータが自ら電源を投入させる特定のコマンドを、パソコン３９０に制御部１１０が通信部１３０を介して送信する。これにより、パソコン３９０は再起動し、正常稼働させることができる。
【０１５８】
上記に様な電源制御システムを構築することで、ＰｏＥ給電装置２００および７００、ＰｏＥ接続機器３００、ルータ４００の正常稼働を電源制御装置１００が監視し、正常稼働していない場合には必要に応じて、電源制御装置１００に直接接続されたＰｏＥ給電装置２００および７００、およびルータ４００を再起動させ、ＰｏＥ給電装置２００を介してＰｏＥ接続機器３００を再起動させることができるので、正常稼働率を上昇させることができる。つまりＰｏＥ給電装置がフリーズしてもＰｏＥ給電装置および接続機器を安定して運用させることができる。
【符号の説明】
【０１５９】
１、２００、７００  ＰｏＥ給電装置
１０  ＩＰ機器診断部
１１  アップリンク側ポート
１２  ＩＰパケット中継制御部
１３  ダウンリンク側ＰｏＥポート
１４  給電制御部
１５  ＰｏＥ給電部
１６  参照データ記憶部
２０  ＩＰ網
３０  ＩＰ機器
１００  電源制御装置
１１０  制御部
１１１  監視部
１１２  電源制御部
１２０  情報記憶部
１２１  本体接続機器情報記憶部
１２２  ＰｏＥ接続機器情報記憶部
１３０  通信部
１４０  給電部
１５０  電源部
１６０  第一電源出力部
１７０  第二電源出力部
１８０  第三電源出力部
２１０、７１０  ＰｏＥ電源制御部
３００  ＰｏＥ接続機器
３１０、３２０、３５０、３６０  アクセスポイント
３３０、３８０  ウェブカメラ
３４０、３７０  ＩＰ電話
３９０  パソコン
４００  ルータ
５００  インターネット
６００  外部電源
【図１】
2019075768.tif 000003
【図２】
2019075768.tif 000004
【図３】
2019075768.tif 000005
【図４】
2019075768.tif 000006
【図５】
2019075768.tif 000007
【図６】
2019075768.tif 000008
【図７】
2019075768.tif 000009
【図８】
2019075768.tif 000010
【図９】
2019075768.tif 000011
【図１０】
2019075768.tif 000012
【図１１】
2019075768.tif 000013
【図１２】
2019075768.tif 000014